(57)【要約】  基地局装置（１００）は、無線通信に使用するための免許が不要な第１の周波数帯域の信号を端末装置（２００）が受信準備済みか否かを示す状態情報を含む信号を受信する受信部（１１２）と、前記第１の周波数帯域が他の装置によって使用中であるか否かを判定することが可能な第１の判定部（１４５）と、前記受信部（１１２）によって受信された状態情報と前記第１の判定部（１４５）による判定結果とに応じて、前記第１の周波数帯域を用いた送信の可否を判定する第２の判定部（１４６）と、前記第２の判定部（１４６）によって送信可と判定された場合に、前記第１の周波数帯域の信号を送信する送信部（１３０）とを有する。
2019244316.tif 000002
【特許請求の範囲】
【請求項１】
無線通信に使用するための免許が不要な第１の周波数帯域の信号を端末装置が受信準備済みか否かを示す状態情報を含む信号を受信する受信部と、
前記第１の周波数帯域が他の装置によって使用中であるか否かを判定することが可能な第１の判定部と、
前記受信部によって受信された状態情報と前記第１の判定部による判定結果とに応じて、前記第１の周波数帯域を用いた送信の可否を判定する第２の判定部と、
前記第２の判定部によって送信可と判定された場合に、前記第１の周波数帯域の信号を送信する送信部と
を有することを特徴とする基地局装置。
【請求項２】
前記端末装置へ信号を送信するための送信ビームを形成する形成部をさらに有し、
前記送信部は、
前記送信ビームで前記第１の周波数帯域の信号を送信する
ことを特徴とする請求項１記載の基地局装置。
【請求項３】
前記第２の判定部は、
前記端末装置が受信準備済みであることを示す状態情報が前記受信部によって受信され、かつ、前記第１の周波数帯域が他の装置によって使用中ではないと前記第１の判定部によって判定された場合に、前記第１の周波数帯域を用いた送信が可能であると判定することを特徴とする請求項１記載の基地局装置。
【請求項４】
前記受信部は、
無線通信に使用するための免許が必要な第２の周波数帯域において状態情報を受信することを特徴とする請求項１記載の基地局装置。
【請求項５】
前記受信部は、
送信ビームを特定する情報を含む状態情報を受信し、
前記形成部は、
前記状態情報に含まれる情報によって特定される送信ビームを形成することを特徴とする請求項２記載の基地局装置。
【請求項６】
前記送信部は、
前記第２の判定部によって送信不可と判定された場合に、無線通信に使用するための免許が必要な第２の周波数帯域の信号を送信することを特徴とする請求項１記載の基地局装置。
【請求項７】
基地局装置から送信される信号を用いて、前記基地局装置からの信号を受信するための受信ビームを決定する決定部と、
前記決定部によって決定された受信ビームを形成した場合の雑音電力が所定の基準を満たすか否かを判定する判定部と、
前記判定部による判定結果に応じて、無線通信に使用するための免許が不要な第１の周波数帯域の信号を受信準備済みか否かを示す状態情報を生成する生成部と、
前記生成部によって生成された状態情報を含む信号を前記基地局装置へ送信する送信部と
を有することを特徴とする端末装置。
【請求項８】
前記生成部は、
雑音電力が所定の基準を満たすと前記判定部によって判定された場合に、前記第１の周波数帯域の信号を受信準備済みであることを示す状態情報を生成することを特徴とする請求項７記載の端末装置。
【請求項９】
前記送信部は、
無線通信に使用するための免許が必要な第２の周波数帯域を用いて状態情報を送信することを特徴とする請求項７記載の端末装置。
【請求項１０】
前記決定部は、
前記基地局装置から送信される信号を用いて、前記基地局装置が信号を送信するための送信ビームをさらに決定し、
前記生成部は、
前記決定部によって決定された送信ビームを特定する情報を含む状態情報を生成することを特徴とする請求項７記載の端末装置。
【請求項１１】
無線通信に使用するための免許が不要な第１の周波数帯域を用いて通信する基地局装置と端末装置とを有する無線通信システムであって、
前記端末装置は、
前記基地局装置から送信される信号を用いて、前記基地局装置からの信号を受信するための受信ビームを決定する決定部と、
前記決定部によって決定された受信ビームを形成した場合の雑音電力が所定の基準を満たすか否かを判定する判定部と、
前記判定部による判定結果に応じて、前記第１の周波数帯域の信号を受信準備済みか否かを示す状態情報を生成する生成部と、
前記生成部によって生成された状態情報を含む信号を前記基地局装置へ送信する送信部とを有し、
前記基地局装置は、
前記端末装置から送信された状態情報を含む信号を受信する受信部と、
前記第１の周波数帯域が他の装置によって使用中であるか否かを判定することが可能な第１の判定部と、
前記受信部によって受信された状態情報と前記第１の判定部による判定結果とに応じて、前記第１の周波数帯域を用いた送信の可否を判定する第２の判定部と、
前記第２の判定部によって送信可と判定された場合に、前記第１の周波数帯域の信号を送信する送信部とを有する
ことを特徴とする無線通信システム。
【発明の詳細な説明】
【技術分野】
【０００１】
本発明は、基地局装置、端末装置及び無線通信システムに関する。
【背景技術】
【０００２】
現在のネットワークにおいては、モバイル端末（スマートフォンやフィーチャーホン）のトラフィックがネットワークのリソースの大半を占めている。また、モバイル端末が使うトラフィックは、今後も拡大していく傾向にある。【０００３】
一方で、ＩｏＴ（Internet  of  a  things）サービス（例えば、交通システム、スマートメータ、装置等の監視システム）の展開に合わせて、多様な要求条件を持つサービスに対応することが求められている。そのため、第５世代移動体通信（５Ｇ又はＮＲ（New  Radio））の通信規格では、４Ｇ（第４世代移動体通信）の標準技術（例えば、非特許文献１〜１１）に加えて、さらなる高データレート化、大容量化、低遅延化を実現する技術が求められている。なお、第５世代通信規格については、３ＧＰＰの作業部会（例えば、ＴＳＧ−ＲＡＮ  ＷＧ１、ＴＳＧ−ＲＡＮ  ＷＧ２等）で技術検討が進められている（非特許文献１２〜３８）。【０００４】
上述したように、多種多様なサービスに対応するために、５Ｇでは、ｅＭＢＢ（Enhanced  Mobile  BroadBand）、Ｍａｓｓｉｖｅ  ＭＴＣ（Machine  Type  Communications)及びＵＲＬＬＣ（Ultra−Reliable  and  Low  Latency  Communication）に分類される多くのユースケースのサポートが想定されている。これらのユースケースに対応するため、例えば、免許が必要な周波数帯域と免許が不要な周波数帯域とを束ねて通信を高速化するライセンスアシスタントアクセス（licensed  assisted  access（ＬＡＡ））が３ＧＰＰの仕様のＲｅｌ．１３から導入されている。【０００５】
ＬＡＡでは、例えば携帯電話網などの無線通信システムで使用される免許が必要なライセンスバンド（Licensed  band：以下「Ｌバンド」という）を補助的に用いて、例えば無線ＬＡＮ（Local  Area  Network）などに用いられる免許が不要なアンライセンスバンド（Unlicensed  band：以下「Ｕバンド」という）でデータが送受信される。【０００６】
Ｌバンドは免許が必要な周波数帯域であるため、免許を取得した通信事業者等がＬバンドに属する特定の周波数帯域を専有し、他の無線通信システムにおける通信との干渉は発生しない。一方、Ｕバンドは免許が不要であり、例えば無線ＬＡＮや異なる事業者が運用するＬＡＡなどの他の無線通信システムによっても用いられるため、Ｕバンドを使用した無線通信が行われる場合には、他の無線通信システムにおける通信との間で干渉が発生し得る。そこで、装置が無線通信を実施する際には、例えばキャリアセンスのように、他の装置による無線通信が実施中であるか否かを確認するＬＢＴ（Listen  Before  Talk）が導入される。４ＧシステムにおけるＬＡＡでは、送信装置は、ＬＢＴによってＵバンドを使用可能であるか否かを判断し、使用可能である場合には、次のサブフレームの先頭からデータの送信を実行する。【０００７】
５ＧシステムにおいてもＬＡＡの導入が検討されている。そのため、３ＧＰＰの作業部会では、５ＧシステムにおけるＵバンドの周波数帯域がWork  item／Study  Itemとして検討課題とされている。
【先行技術文献】
【特許文献】
【０００８】
【特許文献１】特表２０１６−５４１１７０号公報
【非特許文献】
【０００９】
【非特許文献１】3GPP  TS  36.211  V15.1.0（2018-03）
【非特許文献２】3GPP  TS  36.212  V15.1.0（2018-03）
【非特許文献３】3GPP  TS  36.213  V15.1.0（2018-03）
【非特許文献４】3GPP  TS  36.300  V15.1.0（2018-03）
【非特許文献５】3GPP  TS  36.321  V15.1.0（2018-03）
【非特許文献６】3GPP  TS  36.322  V15.0.1（2018-04）
【非特許文献７】3GPP  TS  36.323  V14.5.0（2017-12）
【非特許文献８】3GPP  TS  36.331  V15.1.0（2018-03）
【非特許文献９】3GPP  TS  36.413  V15.1.0（2018-03）
【非特許文献１０】3GPP  TS  36.423  V15.1.0（2018-03）
【非特許文献１１】3GPP  TS  36.425  V14.1.0（2018-03）
【非特許文献１２】3GPP  TS  37.340  V15.1.0（2018-03）
【非特許文献１３】3GPP  TS  38.201  V15.0.0（2017-12）
【非特許文献１４】3GPP  TS  38.202  V15.1.0（2018-03）
【非特許文献１５】3GPP  TS  38.211  V15.1.0（2018-03）
【非特許文献１６】3GPP  TS  38.212  V15.1.1（2018-04）
【非特許文献１７】3GPP  TS  38.213  V15.1.0（2018-03）
【非特許文献１８】3GPP  TS  38.214  V15.1.0（2018-03）
【非特許文献１９】3GPP  TS  38.215  V15.1.0（2018-03）
【非特許文献２０】3GPP  TS  38.300  V15.1.0（2018-03）
【非特許文献２１】3GPP  TS  38.321  V15.1.0（2018-03）
【非特許文献２２】3GPP  TS  38.322  V15.1.0（2018-03）
【非特許文献２３】3GPP  TS  38.323  V15.1.0（2018-03）
【非特許文献２４】3GPP  TS  38.331  V15.1.0（2018-03）
【非特許文献２５】3GPP  TS  38.401  V15.1.0（2018-03）
【非特許文献２６】3GPP  TS  38.410  V0.9.0（2018-04）
【非特許文献２７】3GPP  TS  38.413  V0.8.0（2018-04）
【非特許文献２８】3GPP  TS  38.420  V0.8.0（2018-04）
【非特許文献２９】3GPP  TS  38.423  V0.8.0（2018-04）
【非特許文献３０】3GPP  TS  38.470  V15.1.0（2018-03）
【非特許文献３１】3GPP  TS  38.473  V15.1.1（2018-04）
【非特許文献３２】3GPP  TR  38.801  V14.0.0（2017-04）
【非特許文献３３】3GPP  TR  38.802  V14.2.0（2017-09）
【非特許文献３４】3GPP  TR  38.803  V14.2.0（2017-09）
【非特許文献３５】3GPP  TR  38.804  V14.0.0（2017-03）
【非特許文献３６】3GPP  TR  38.900  V14.3.1（2017-07）
【非特許文献３７】3GPP  TR  38.912  V14.1.0（2017-06）
【非特許文献３８】3GPP  TR  38.913  V14.3.0（2017-06）
【発明の概要】
【発明が解決しようとする課題】
【００１０】
ところで、４ＧシステムのＵバンドでは、例えば５ＧＨｚ帯などの比較的低周波の帯域が用いられているのに対し、５ＧシステムのＵバンドでは、例えば６０ＧＨｚ帯などの比較的高周波の帯域が用いられることが考えられる。６０ＧＨｚ帯などの高周波帯では、例えば電波吸収などの影響が大きく、電波伝搬損失が大きくなる。このため、基地局装置が無線通信可能な範囲である無線セルが小さくなると考えられる。これに対処するために、多数のアンテナ素子を利用して幅が狭い指向性ビーム（以下単に「ビーム」という）を形成し、基地局装置と端末装置の間の通信品質を向上するのが好ましい。【００１１】
しかしながら、Ｕバンドの送受信において狭ビームが形成される場合には、ＬＢＴを正確に実行することが困難になるという問題がある。すなわち、例えば基地局装置は、Ｕバンドの受信電力を測定し、他の基地局装置がＵバンドを使用中であるか否かを判定するが、他の基地局装置が狭ビームを形成してＵバンドの信号を送信している場合には、Ｕバンドが使用中であることが検出されないことがある。以下、この問題について、具体的に説明する。【００１２】
図１は、Ｕバンドを用いた無線通信が行われる無線通信システムの一例を示す図である。図１に示すように、基地局装置１０ａは、自装置の無線セル内の端末装置２０ａとＵバンドのキャリアを用いて無線通信し、基地局装置１０ｂは、自装置の無線セル内の端末装置２０ｂとＵバンドのキャリアを用いて無線通信する。【００１３】
例えば基地局装置１０ａがＬＢＴを実行した結果、Ｕバンドがアイドルであったため、端末装置２０ａに対して狭ビーム１１ａを形成して信号を送信する場合を考える。この場合、狭ビーム１１ａが形成されているため、基地局装置１０ａから送信された信号は端末装置２０ａによって良好な受信品質で受信される。そして、このときに基地局装置１０ｂから端末装置２０ｂへの送信データが発生すると、基地局装置１０ｂはＬＢＴを実行する。基地局装置１０ｂは、Ｕバンドの受信電力を測定するが、基地局装置１０ａが端末装置２０ａの方向を向く狭ビーム１１ａを形成して信号を送信中であるため、基地局装置１０ｂにおいてはＵバンドの受信電力が比較的小さい。このため、基地局装置１０ｂは、Ｕバンドがアイドルであると判定し、端末装置２０ｂに対して狭ビーム１１ｂを形成して信号の送信を開始する。この結果、基地局装置１０ｂから端末装置２０ｂへ送信される信号が端末装置２０ａにおける干渉信号となり、端末装置２０ａでの受信品質が劣化してしまう。【００１４】
このように、基地局装置及び端末装置の位置関係によっては、基地局装置は、他の基地局装置が狭ビームを形成して信号を送信中であることを検出せずに、Ｕバンドがアイドルであると判定してしまう。結果として、他の基地局装置がＵバンドを使用中であるにもかかわらず、Ｕバンドを用いた無線通信が開始され、端末装置への干渉が発生することがある。【００１５】
開示の技術は、かかる点に鑑みてなされたものであって、アンライセンスバンドにおける干渉を低減することができる基地局装置、端末装置及び無線通信システムを提供することを目的とする。
【課題を解決するための手段】
【００１６】
本願が開示する基地局装置は、１つの態様において、無線通信に使用するための免許が不要な第１の周波数帯域の信号を端末装置が受信準備済みか否かを示す状態情報を含む信号を受信する受信部と、前記第１の周波数帯域が他の装置によって使用中であるか否かを判定することが可能な第１の判定部と、前記受信部によって受信された状態情報と前記第１の判定部による判定結果とに応じて、前記第１の周波数帯域を用いた送信の可否を判定する第２の判定部と、前記第２の判定部によって送信可と判定された場合に、前記第１の周波数帯域の信号を送信する送信部とを有する。
【発明の効果】
【００１７】
本願が開示する基地局装置、端末装置及び無線通信システムの１つの態様によれば、アンライセンスバンドにおける干渉を低減することができるという効果を奏する。
【図面の簡単な説明】
【００１８】
【図１】図１は、Ｕバンドを用いた無線通信が行われる無線通信システムの一例を示す図である。
【図２】図２は、一実施の形態に係る無線通信システムの一例を示す図である。
【図３】図３は、一実施の形態に係る基地局装置の構成を示すブロック図である。
【図４】図４は、一実施の形態に係る端末装置の構成を示すブロック図である。
【図５】図５は、無線通信システムにおける通信方法を示すシーケンス図である。
【図６】図６は、一実施の形態に係る基地局装置の動作を示すフロー図である。
【図７】図７は、一実施の形態に係る端末装置の通信開始時の動作を示すフロー図である。
【図８】図８は、一実施の形態に係る端末装置の通信継続時の動作を示すフロー図である。
【発明を実施するための形態】
【００１９】
以下、本願が開示する基地局装置、端末装置及び無線通信システムの一実施の形態について、図面を参照して詳細に説明する。なお、この実施の形態により本発明が限定されるものではない。
【００２０】
図２は、一実施の形態に係る無線通信システムの一例を示す図である。図２に示すように、基地局装置１００ａは、自装置のセル内の端末装置２００ａと無線通信し、基地局装置１００ｂは、自装置のセル内の端末装置２００ｂと無線通信する。
【００２１】
基地局装置１００ａは、免許が必要なライセンスバンド（Ｌバンド）及び免許が不要なアンライセンスバンド（Ｕバンド）の双方のキャリアを用いて端末装置２００ａと無線通信する。具体的には、基地局装置１００ａは、端末装置２００ａからＬバンドを用いて送信される状態情報であって、端末装置２００ａがＵバンドの信号を受信する準備を完了しているか否かを示す状態情報を受信する。そして、基地局装置１００ａは、状態情報が受信準備済みであることを示す場合にＬＢＴ処理を実行し、Ｕバンドがアイドルであれば端末装置２００ａに対してＵバンドを用いて信号を送信する。このとき、基地局装置１００ａは、状態情報によって通知される送信ビームを形成し、端末装置２００ａにおける受信品質を向上させる。
【００２２】
端末装置２００ａは、基地局装置１００ａがＵバンドを用いて周期的に送信するパイロット信号を用いて基地局装置１００ａの方向を推定し、基地局装置１００ａの方向を向く受信ビームを決定する。また、端末装置２００ａは、受信ビームを形成した状態での雑音電力を測定し、雑音電力が所定の基準を満たす場合には、Ｕバンドの受信準備済みである旨の状態情報を生成し、Ｌバンドを用いて基地局装置１００ａへ送信する。これにより、端末装置２００ａは、基地局装置１００ａの方向を向く受信ビームを形成した状態で、基地局装置１００ａがＵバンドを用いて送信する信号を受信する。このため、例えば基地局装置１００ｂがＵバンドを用いて端末装置２００ｂ宛ての信号を送信しても、この信号は端末装置２００ａが形成する受信ビーム外からの信号であるため、端末装置２００ａにおける受信レベルが低く、干渉を低減することができる。
【００２３】
基地局装置１００ｂ及び端末装置２００ｂは、それぞれ基地局装置１００ａ及び端末装置２００ａと同様に無線通信する。以下においては、基地局装置１００ａ、１００ｂを特に区別する必要がない場合には「基地局装置１００」といい、端末装置２００ａ、２００ｂを特に区別する必要がない場合には「端末装置２００」という。
【００２４】
図３は、一実施の形態に係る基地局装置１００の構成を示すブロック図である。図３に示す基地局装置１００は、プロセッサ１１０、メモリ１２０及び無線通信部１３０を有する。
【００２５】
プロセッサ１１０は、例えばＣＰＵ（Central  Processing  Unit）、ＦＰＧＡ（Field  Programmable  Gate  Array）又はＤＳＰ（Digital  Signal  Processor）などを備え、基地局装置１００の全体を統括制御する。具体的には、プロセッサ１１０は、Ｌバンド送信処理部１１１、Ｌバンド受信処理部１１２、パイロット信号生成部１４１、符号化部１４２、送信ビーム形成部１４３、変調部１４４、ＬＢＴ処理部１４５及び送信可否判定部１４６を有する。
【００２６】
Ｌバンド送信処理部１１１は、Ｌバンドを用いて送信するデータに対する送信処理を実行する。具体的には、Ｌバンド送信処理部１１１は、送信データに符号化及び変調を施し、無線通信部１３０へ出力する。Ｌバンドを用いて送信される送信データには、Ｌバンド及びＵバンドに関する制御情報やユーザデータが含まれていても良い。また、後述する送信可否判定部１４６によって、Ｕバンドを用いた送信が可能ではないと判定されたデータがＬバンドを用いて送信されても良い。
【００２７】
Ｌバンド受信処理部１１２は、Ｌバンドにおいて受信された信号に対する受信処理を実行する。具体的には、Ｌバンド受信処理部１１２は、Ｌバンドの受信信号に復調及び復号を施し、受信データを得る。Ｌバンドの受信データには、Ｌバンド及びＵバンドに関する制御情報やユーザデータが含まれていても良い。また、端末装置２００から送信された状態情報であって、端末装置２００がＵバンドの信号の受信準備済みであるか否かを示す状態情報がＬバンドの受信データに含まれる。このため、Ｌバンド受信処理部１１２は、状態情報を送信可否判定部１４６へ出力する。
【００２８】
パイロット信号生成部１４１は、Ｕバンドの受信品質測定などのための既知信号であるパイロット信号を生成する。
【００２９】
符号化部１４２は、Ｕバンドを用いて送信される制御情報及びユーザデータを符号化する。なお、符号化部１４２は、Ｕバンドによる送信が可能であることが送信可否判定部１４６から通知された場合に、制御情報及びユーザデータの符号化を実行する。
【００３０】
送信ビーム形成部１４３は、Ｕバンドの送信に用いられる送信ビームを形成する。具体的には、送信ビーム形成部１４３は、基地局装置１００が備える複数のアンテナそれぞれから送信されるアンテナストリームにウェイトを乗算し、所望の方向を向く送信ビームを形成する。送信ビーム形成部１４３は、パイロット信号の送信に際しては、形成可能な送信ビームを順に形成し、各送信ビームによって周期的にパイロット信号が送信されるようにする。また、送信ビーム形成部１４３は、制御情報及びユーザデータの送信に際しては、送信可否判定部１４６から指示された方向を向く送信ビームを形成する。
【００３１】
変調部１４４は、制御情報及びユーザデータを変調する。すなわち、変調部１４４は、制御情報及びユーザデータを含み、送信ビーム形成部１４３によってそれぞれウェイトが乗算されたアンテナストリームを変調する。
【００３２】
ＬＢＴ処理部１４５は、基地局装置１００において送信データが発生した場合に、Ｕバンドの受信電力を測定し、Ｕバンドがアイドルであるかビジーであるかを判定する。すなわち、ＬＢＴ処理部１４５は、Ｕバンドの受信電力が所定の閾値未満である場合には、他の装置がＵバンドを使用しておらずアイドルであると判定し、Ｕバンドの受信電力が所定の閾値以上である場合には、他の装置がＵバンドを使用中でありビジーであると判定する。
【００３３】
送信可否判定部１４６は、Ｌバンド受信処理部１１２から出力される状態情報と、ＬＢＴ処理部１４５によるＬＢＴ処理の結果とに基づいて、Ｕバンドを用いた送信が可能であるか否かを判定する。具体的には、送信可否判定部１４６は、端末装置２００がＵバンドの受信準備済みであることを示す状態情報が受信されており、かつ、ＬＢＴ処理部１４５によってＵバンドがアイドルであると判定された場合に、Ｕバンドを用いた送信が可能であると判定する。そして、送信可否判定部１４６は、Ｕバンドによる送信が可能であることを符号化部１４２へ通知し、制御情報及びユーザデータの符号化を実行させる。また、送信可否判定部１４６は、状態情報に含まれる最適送信ビームを特定する情報を参照し、最適な送信ビームを形成するように送信ビーム形成部１４３へ指示する。
【００３４】
メモリ１２０は、例えばＲＡＭ（Random  Access  Memory）又はＲＯＭ（Read  Only  Memory）などを備え、プロセッサ１１０が処理を実行するために使用する種々の情報を記憶する。
【００３５】
無線通信部１３０は、プロセッサ１１０から出力されるＬバンド又はＵバンドの送信データに対してＤ／Ａ変換及びアップコンバートなどの無線送信処理を施し、アンテナを介して送信する。このとき、無線通信部１３０は、Ｕバンドのアンテナストリームをそれぞれ対応するアンテナから送信する。また、無線通信部１３０は、アンテナを介して受信された受信信号に対してダウンコンバート及びＡ／Ｄ変換などの無線受信処理を施し、得られた受信データをプロセッサ１１０へ出力する。
【００３６】
図４は、一実施の形態に係る端末装置２００の構成を示すブロック図である。図４に示す端末装置２００は、無線通信部２１０、プロセッサ２２０及びメモリ２３０を有する。
【００３７】
無線通信部２１０は、アンテナを介して受信された受信信号に対してダウンコンバート及びＡ／Ｄ変換などの無線受信処理を施し、得られた受信データをプロセッサ２２０へ出力する。また、無線通信部２１０は、プロセッサ２２０から出力されるＬバンド又はＵバンドの送信データに対してＤ／Ａ変換及びアップコンバートなどの無線送信処理を施し、アンテナを介して送信する。
【００３８】
プロセッサ２２０は、例えばＣＰＵ、ＦＰＧＡ又はＤＳＰなどを備え、端末装置２００の全体を統括制御する。具体的には、プロセッサ２２０は、Ｌバンド受信処理部２２１、Ｌバンド送信処理部２２２、復調部２４１、受信ビーム形成部２４２、復号部２４３、受信品質測定部２４４、送信ビーム決定部２４５、受信ビーム決定部２４６、雑音判定部２４７及び状態情報生成部２４８を有する。
【００３９】
Ｌバンド受信処理部２２１は、Ｌバンドにおいて受信された信号に対する受信処理を実行する。具体的には、Ｌバンド受信処理部２２１は、Ｌバンドの受信信号に復調及び復号を施し、受信データを得る。Ｌバンドの受信データには、Ｌバンド及びＵバンドに関する制御情報やユーザデータが含まれていても良い。
【００４０】
Ｌバンド送信処理部２２２は、Ｌバンドを用いて送信するデータに対する送信処理を実行する。具体的には、Ｌバンド送信処理部２２２は、送信データに符号化及び変調を施し、無線通信部２１０へ出力する。Ｌバンドを用いて送信される送信データには、Ｌバンド及びＵバンドに関する制御情報やユーザデータが含まれていても良い。また、後述する状態情報生成部２４８によって生成される状態情報が、Ｌバンドを用いて送信される。
【００４１】
復調部２４１は、Ｕバンドの受信データを復調する。すなわち、復調部２４１は、Ｕバンドの受信信号が無線受信処理されて得られた受信データを復調する。
【００４２】
受信ビーム形成部２４２は、Ｕバンドの受信に用いられる受信ビームを形成する。具体的には、受信ビーム形成部２４２は、端末装置２００が備える複数のアンテナそれぞれによって受信されるアンテナストリームにウェイトを乗算し、所望の方向を向く受信ビームを形成する。受信ビーム形成部２４２は、Ｕバンドのパイロット信号の受信に際しては、まず基地局装置１００の最適な送信ビームを決定するために、受信ビームの形成を停止するか幅の広い受信ビームを形成する。そして、受信ビーム形成部２４２は、基地局装置１００の最適な送信ビームが決定された後は、形成可能な受信ビームを順に形成し、各受信ビームによって最適な送信ビームで送信されたパイロット信号が受信されるようにする。また、受信ビーム形成部２４２は、制御情報及びユーザデータの受信に際しては、受信ビーム決定部２４６から指示された方向を向く受信ビームを形成する。
【００４３】
復号部２４３は、Ｕバンドの受信信号に含まれる制御情報及びユーザデータを復号する。また、復号部２４３は、Ｕバンドのパイロット信号を復号する。
【００４４】
受信品質測定部２４４は、復号部２４３によって復号されるパイロット信号を用いて、Ｕバンドの受信品質を測定する。このとき、基地局装置１００は方向が異なる各送信ビームを用いて周期的にパイロット信号を送信するため、受信品質測定部２４４は、送信ビームごとの受信品質を測定する。また、受信ビーム形成部２４２が形成可能な受信ビームを順に形成する際は、受信品質測定部２４４は、受信ビームごとの受信品質を測定する。
【００４５】
送信ビーム決定部２４５は、受信品質測定部２４４によって測定される受信品質に基づいて、基地局装置１００の最適な送信ビームを決定する。具体的には、送信ビーム決定部２４５は、基地局装置１００がＵバンドを用いて各送信ビームで送信するパイロット信号の受信品質のうち、最も良好な受信品質が得られる送信ビームを最適な送信ビームと決定する。そして、送信ビーム決定部２４５は、最適な送信ビームを特定する情報を状態情報生成部２４８へ出力する。なお、Ｕバンドのパイロット信号の送信に用いられる送信ビームの形成タイミングなどの情報は、あらかじめ例えばＲＲＣ（Radio  Resource  Control）シグナリングなどによって基地局装置１００から端末装置２００へ通知されている。このため、送信ビーム決定部２４５は、パイロット信号の受信タイミングから、パイロット信号の送信時に形成されている送信ビームを特定することができる。
【００４６】
受信ビーム決定部２４６は、受信品質測定部２４４によって測定される受信品質に基づいて、端末装置２００の最適な受信ビームを決定する。具体的には、受信ビーム決定部２４６は、形成可能な各受信ビームを受信ビーム形成部２４２に形成させながら、それぞれの受信ビームで受信されるパイロット信号の受信品質を比較し、最も良好な受信品質が得られる受信ビームを最適な受信ビームと決定する。すなわち、受信ビーム決定部２４６は、パイロット信号を用いて到来方向推定を実行する。到来方向推定の方法としては、例えばビームフォーミング法やＣａｐｏｎ法が用いられても良い。なお、受信ビーム決定部２４６が最適な受信ビームの決定に用いるパイロット信号は、送信ビーム決定部２４５によって決定された最適な送信ビームで送信されたパイロット信号であることが望ましい。
【００４７】
雑音判定部２４７は、最適な受信ビームが形成された状態での雑音電力を測定し、雑音電力が所定の基準を満たすか否かを判定する。すなわち、雑音判定部２４７は、受信ビーム決定部２４６によって最適な受信ビームが決定されると、この受信ビームが形成され、かつ、基地局装置１００からパイロット信号が送信されていないタイミングでの受信電力を測定し、測定結果を雑音電力とする。そして、雑音判定部２４７は、雑音電力と所定の閾値との比較により、雑音電力が所定の基準を満たすか否かを判定する。また、雑音判定部２４７は、端末装置２００の通信中にも雑音電力を監視し、雑音電力が所定の基準を満たすか否かを判定する。
【００４８】
状態情報生成部２４８は、雑音判定部２４７による判定の結果に従って、端末装置２００がＵバンドの信号を受信準備済みの状態にあるか否かを示す状態情報を生成する。換言すれば、状態情報生成部２４８は、基地局装置１００によるＵバンドを用いた送信が可能であるか否かを示す状態情報を生成する。具体的には、状態情報生成部２４８は、基地局装置１００の最適な送信ビームが決定され、端末装置２００の最適な受信ビームが決定され、かつ、雑音電力が所定の基準を満たす場合に、端末装置２００がＵバンドの受信準備済みであり、基地局装置１００によるＵバンドを用いた送信が可能である旨の状態情報を生成する。状態情報生成部２４８は、送信が可能である旨の状態情報に、基地局装置１００の最適な送信ビームを特定する情報を格納する。
【００４９】
一方、状態情報生成部２４８は、基地局装置１００によるＵバンドを用いた送信が可能である旨の状態情報送信後に、端末装置２００の受信準備ができていない状態となった場合に、基地局装置１００によるＵバンドを用いた送信が不可能である旨の状態情報を生成する。具体的には、雑音電力が所定の基準を満たさず、最適な受信ビームを形成しても受信品質が所定の閾値未満である場合に、状態情報生成部２４８は、基地局装置１００によるＵバンドを用いた送信が不可能である旨の状態情報を生成する。状態情報生成部２４８が生成した状態情報は、Ｌバンド送信処理部２２２からＬバンドを用いて送信される。
【００５０】
次いで、上記のように構成された無線通信システムにおける通信方法について、図５に示すシーケンス図を参照しながら説明する。以下においては、基地局装置１００ａから端末装置２００ａへＵバンドを用いて信号が送信される場合について説明する。
【００５１】
基地局装置１００ａから端末装置２００ａへは、あらかじめ例えばＲＲＣシグナリングなどによって、Ｕバンドのパイロット信号に関する情報が通知される（ステップＳ１０１）。パイロット信号に関する情報は、パイロット信号の送信に用いられる送信ビームの方向や、各送信ビームが形成されるタイミングなどの情報を含む。このため、端末装置２００ａは、基地局装置１００ａがＵバンドを用いてパイロット信号を送信するタイミング及び送信ビームをあらかじめ把握することができる。
【００５２】
基地局装置１００ａでは、パイロット信号生成部１４１によってパイロット信号が生成され、パイロット信号の送信タイミングが到来するとＬＢＴ処理部１４５によってＬＢＴ処理が実行される（ステップＳ１０２）。そして、Ｕバンドがアイドルであれば、送信ビーム形成部１４３によってパイロット信号を送信するための送信ビームが形成され、パイロット信号が送信される（ステップＳ１０３）。パイロット信号の送信時には、送信ビーム形成部１４３によって、基地局装置１００ａの周囲の方向の送信ビームが順に形成され、各送信ビームで周期的にパイロット信号が送信されることになる。
【００５３】
Ｕバンドを用いてパイロット信号が送信されている間、端末装置２００ａによって、基地局装置１００ａの最適な送信ビーム及び端末装置２００ａの最適な受信ビームが決定される（ステップＳ１０４）。具体的には、周期的に各送信ビームで送信されるパイロット信号のうち、受信品質が最も良好なパイロット信号に対応する送信ビームが、送信ビーム決定部２４５によって最適な送信ビームと決定される。また、最適な送信ビームでパイロット信号が送信されるタイミングで、受信ビーム形成部２４２によって端末装置２００ａの周囲の方向の受信ビームが順に形成され、パイロット信号の受信品質が最も良好となる受信ビームが、受信ビーム決定部２４６によって最適な受信ビームと決定される。なお、最適な受信ビームの決定は、一般的な到来方向推定によって基地局装置１００ａの方向を推定する処理と同様であっても良い。
【００５４】
最適な受信ビームが決定されると、受信ビーム形成部２４２によって、最適な受信ビームが形成される。また、雑音判定部２４７によって、最適な受信ビームが形成された状態での雑音電力が所定の基準を満たすか否かが判定される（ステップＳ１０５）。すなわち、基地局装置１００ａからパイロット信号が送信されていないタイミングでＵバンドの受信電力が測定され、測定された受信電力が雑音電力として所定の閾値と比較される。雑音判定の結果、雑音電力が所定の基準を満たしていれば、状態情報生成部２４８によって、端末装置２００ａがＵバンドの信号を受信準備済みであることを示す状態情報が生成される。この状態情報には、基地局装置１００ａの最適な送信ビームを特定する情報も含まれる。そして、状態情報は、Ｌバンド送信処理部２２２を経由して、基地局装置１００ａへ送信される（ステップＳ１０６）。
【００５５】
Ｕバンドを用いた送信が可能である旨の状態情報は、基地局装置１００ａによって受信され、Ｌバンド受信処理部１１２によって無線受信処理される。そして、基地局装置１００ａにおいて、端末装置２００ａ宛ての送信データが発生すると、ＬＢＴ処理部１４５によってＬＢＴ処理が実行される（ステップＳ１０７）。この結果、Ｕバンドがアイドルであれば、Ｕバンドを用いた送信が可能である旨の状態情報が受信されており、かつ、Ｕバンドがアイドルであることから、送信可否判定部１４６によって、端末装置２００ａ宛ての送信データを符号化することが符号化部１４２へ指示される。また、状態情報には、最適な送信ビームを特定する情報が含まれるため、送信可否判定部１４６によって、最適な送信ビームを形成することが送信ビーム形成部１４３へ指示される。
【００５６】
これにより、端末装置２００ａ宛ての送信データは、Ｕバンドを用いて最適な送信ビームで送信される（ステップＳ１０８）。なお、ＬＢＴ処理部１４５によるＬＢＴ処理の結果、Ｕバンドがビジーである場合には、端末装置２００ａ宛ての送信データは、Ｌバンド送信処理部１１１を経由してＬバンドを用いて送信されても良い。
【００５７】
ところで、基地局装置１００ａが形成する最適な送信ビームは、端末装置２００ａの方向を向く送信ビームであるため、例えば端末装置２００ａとは異なる方向に位置する基地局装置１００ｂがＬＢＴ処理を実行すると、Ｕバンドがアイドルであると判定することがある。このため、基地局装置１００ｂは、基地局装置１００ａと同時にＵバンドを用いて信号を送信することがある（ステップＳ１０９）。
【００５８】
しかしながら、端末装置２００ａは、基地局装置１００ａの方向を向く最適な受信ビームを形成しているため、基地局装置１００ｂから送信された信号の端末装置２００ａにおける受信電力は比較的小さい。換言すれば、端末装置２００ａにおいて、Ｕバンドにおける基地局装置１００ｂからの干渉を低減することができる。
【００５９】
次に、基地局装置１００の動作について、図６に示すフロー図を参照しながら説明する。以下においては、基地局装置１００が端末装置２００へ信号を送信する場合の動作について説明する。
【００６０】
基地局装置１００は、例えばＲＲＣシグナリングなどによってあらかじめ通知したタイミング及び送信ビームで、Ｕバンドのパイロット信号を送信する（ステップＳ２０１）。具体的には、パイロット信号生成部１４１によってパイロット信号が生成され、送信ビーム形成部１４３によって、基地局装置１００の周囲の各方向を向く送信ビームが順に形成される。そして、ＬＢＴ処理部１４５によるＬＢＴ処理の結果、Ｕバンドがアイドルである場合に、パイロット信号がＵバンドを用いて無線通信部１３０から送信される。したがって、Ｕバンドのパイロット信号は、基地局装置１００の周囲の各方向へ周期的に送信される。このパイロット信号が端末装置２００によって受信されることにより、端末装置２００は、基地局装置１００の最適な送信ビーム及び端末装置２００の最適な受信ビームを決定する。
【００６１】
そして、端末装置２００宛ての送信データが発生すると（ステップＳ２０２）、送信可否判定部１４６によって、Ｕバンドの受信準備済みであることを示す状態情報が端末装置２００から受信されているか否かが判定される（ステップＳ２０３）。この判定の結果、状態情報が受信されていない場合には（ステップＳ２０３Ｎｏ）、まだ端末装置２００がＵバンドの信号の受信に適した状態ではないため、端末装置２００宛てのデータはＬバンド送信処理部１１１からＬバンドを用いて送信される（ステップＳ２０７）。
【００６２】
一方、Ｕバンドの受信準備済みであることを示す状態情報が受信されている場合には（ステップＳ２０３Ｙｅｓ）、ＬＢＴ処理部１４５によってＬＢＴ処理が実行される（ステップＳ２０４）。ＬＢＴ処理の結果は送信可否判定部１４６へ通知され、送信可否判定部１４６によって、Ｕバンドがアイドルであるかビジーであるかが判定される（ステップＳ２０５）。すなわち、例えば、Ｕバンドの受信電力が所定の閾値未満である場合にはＵバンドがアイドルであると判定され、Ｕバンドの受信電力が所定の閾値以上である場合にはＵバンドがビジーであると判定される。
【００６３】
Ｕバンドがビジーである場合には（ステップＳ２０５Ｎｏ）、所定の時間が経過後に再度ＬＢＴ処理が繰り返される（ステップＳ２０４）。なお、Ｕバンドがビジーの場合には、端末装置２００宛てのデータがＬバンドを用いて送信されるようにしても良い。Ｕバンドがアイドルである場合には（ステップＳ２０５Ｙｅｓ）、端末装置２００宛てのデータがＵバンドを用いて送信可能であることから、符号化部１４２に対して送信データを符号化するように指示される。また、状態情報には、基地局装置１００の最適な送信ビームを特定する情報が含まれているため、送信ビーム形成部１４３によって、状態情報に従って最適な送信ビームが形成される。これにより、端末装置２００宛てのデータは、状態情報によって指定された最適な送信ビームでＵバンドを用いて端末装置２００へ送信される（ステップＳ２０６）。
【００６４】
このように、基地局装置１００は、端末装置２００がＵバンドの受信準備済みであることを示す状態情報が端末装置２００から受信された後にＵバンドを用いた送信を実行する。このため、端末装置２００が最適な受信ビームを形成するなどの準備を完了してからＵバンドを用いた送信が実行され、端末装置２００において干渉を低減することができる。
【００６５】
次に、端末装置２００の動作について、図７、８に示すフロー図を参照しながら説明する。まず図７を参照して、端末装置２００が基地局装置１００との通信を開始する際の動作について説明する。
【００６６】
端末装置２００は、例えばＲＲＣシグナリングなどによってあらかじめ通知されたタイミング及び送信ビームで送信されたＵバンドのパイロット信号を受信する（ステップＳ３０１）。ここでは、受信ビーム形成部２４２によって、受信ビームの形成が停止されているか幅の広い受信ビームが形成されており、基地局装置１００が各方向への送信ビームを順に形成しながら送信するパイロット信号が受信される。そして、受信品質測定部２４４によって、パイロット信号を用いて基地局装置１００の送信ビームごとの受信品質が測定される（ステップＳ３０２）。
【００６７】
送信ビームごとの受信品質が測定されると、送信ビーム決定部２４５によって、基地局装置１００の最適な送信ビームが決定される（ステップＳ３０３）。すなわち、パイロット信号の受信品質が最も良好となった際に形成された送信ビームが最適な送信ビームと決定される。最適な送信ビームは、基地局装置１００から概ね端末装置２００の方向を向く送信ビームである。そして、最適な送信ビームを特定する情報が状態情報生成部２４８へ通知される。なお、パイロット信号が送信されるタイミング及び送信ビームなどの情報があらかじめ通知されているため、パイロット信号が受信されたタイミングから、このパイロット信号の送信時に形成されている送信ビームを特定することが可能である。
【００６８】
最適な送信ビームが決定されると、受信ビーム形成部２４２によって端末装置２００の周囲の各方向を向く受信ビームが順次形成されながら、基地局装置１００が最適な送信ビームで送信するパイロット信号が受信される（ステップＳ３０４）。そして、受信品質測定部２４４によって、パイロット信号を用いて端末装置２００の受信ビームごとの受信品質が測定される（ステップＳ３０５）。
【００６９】
受信ビームごとの受信品質が測定されると、受信ビーム決定部２４６によって、端末装置２００の最適な受信ビームが決定される（ステップＳ３０６）。すなわち、パイロット信号の受信品質が最も良好となった際に形成された受信ビームが最適な受信ビームと決定される。最適な受信ビームは、端末装置２００から概ね基地局装置１００の方向を向く受信ビームである。そして、受信ビーム決定部２４６から受信ビーム形成部２４２に対して、最適な受信ビームを形成するように指示され、最適な受信ビームが形成される。
【００７０】
最適な受信ビームが形成されると、雑音判定部２４７によって、最適な受信ビーム形成時の雑音電力が所定の基準を満たすか否かが判定される。具体的には、雑音判定部２４７によってカウンタｍが０に初期化され（ステップＳ３０７）、パイロット信号が送信されていないタイミングでのＵバンドの受信電力が雑音電力として測定される（ステップＳ３０８）。そして、雑音電力が所定の閾値と比較され（ステップＳ３０９）、雑音電力が所定の閾値未満である場合には（ステップＳ３０９Ｙｅｓ）、カウンタｍが１インクリメントされる（ステップＳ３１０）。
【００７１】
雑音電力が所定の閾値以上の場合（ステップＳ３０９Ｎｏ）又はカウンタｍが１インクリメントされた後、雑音電力が所定回数測定されたか否かが判定され（ステップＳ３１１）、測定回数が所定回数に満たない場合には（ステップＳ３１１Ｎｏ）、雑音電力の測定及び閾値比較が繰り返される（ステップＳ３０８〜Ｓ３１０）。
【００７２】
そして、雑音電力の測定回数が所定回数に到達すると（ステップＳ３１１Ｙｅｓ）、カウンタｍの値が所定値Ｍと比較される（ステップＳ３１２）。この比較の結果、カウンタｍの値が所定値Ｍ以上であれば（ステップＳ３１２Ｙｅｓ）、最適な受信ビーム形成時の雑音電力が所定の閾値未満である頻度が高いため、端末装置２００は基地局装置１００からＵバンドを用いて送信される信号を受信可能な状態であるといえる。そこで、状態情報生成部２４８によって、Ｕバンドの信号の受信準備が完了していることを示す状態情報が生成される。この状態情報には、送信ビーム決定部２４５によって決定された最適な送信ビームを特定する情報が格納される。そして、状態情報は、Ｌバンド送信処理部２２２によって送信処理が施され、Ｌバンドを用いて基地局装置１００へ送信される（ステップＳ３１３）。
【００７３】
一方、ステップＳ３１２の比較の結果、カウンタｍの値が所定値Ｍ未満であれば（ステップＳ３１２Ｎｏ）、カウンタｍの値に関する判定が所定回数繰り返されたか否かが判断される（ステップＳ３１４）。そして、まだ判定回数が所定回数に満たない場合には（ステップＳ３１４Ｎｏ）、再度カウンタｍが初期化され、雑音電力の測定及び判定が繰り返される（ステップＳ３０７〜Ｓ３１２）。また、判定回数が所定回数に到達している場合には（ステップＳ３１４Ｙｅｓ）、改めてパイロット信号を用いて最適な送信ビーム及び最適な受信ビームの決定が実行される（ステップＳ３０１〜Ｓ３１２）。
【００７４】
このように、基地局装置１００と端末装置２００の通信開始時には、最適な送信ビーム及び最適な受信ビームが決定され、最適な受信ビームが形成された場合の雑音電力が所定の基準を満たすか否かが判定される。そして、雑音電力が所定の基準を満たす場合には、端末装置２００がＵバンドの信号を受信可能な状態であるため、基地局装置１００によるＵバンドを用いた送信が可能である旨の状態情報が基地局装置１００へ送信される。この結果、基地局装置１００からＵバンドを用いて端末装置２００宛てのデータが送信される。このとき、たとえ他の装置がＵバンドを用いた送信を実行しても、端末装置２００は基地局装置１００の方向を向く最適な受信ビームを形成しているため、他の装置からの干渉を低減することができる。
【００７５】
次に図８を参照して、端末装置２００が基地局装置１００との通信を継続している際の動作について説明する。
【００７６】
端末装置２００が基地局装置１００との通信を継続する際、端末装置２００は、最適な受信ビームを形成している。このため、雑音判定部２４７によって、最適な受信ビーム形成時の雑音電力が定期的に監視される。具体的には、雑音判定部２４７によってカウンタｍが０に初期化され（ステップＳ４０１）、基地局装置１００から信号が送信されていないタイミングでのＵバンドの受信電力が雑音電力として測定される（ステップＳ４０２）。そして、雑音電力が所定の閾値と比較され（ステップＳ４０３）、雑音電力が所定の閾値未満である場合には（ステップＳ４０３Ｙｅｓ）、カウンタｍが１インクリメントされる（ステップＳ４０４）。
【００７７】
雑音電力が所定の閾値以上の場合（ステップＳ４０３Ｎｏ）又はカウンタｍが１インクリメントされた後、雑音電力が所定回数測定されたか否かが判定され（ステップＳ４０５）、測定回数が所定回数に満たない場合には（ステップＳ４０５Ｎｏ）、雑音電力の測定及び閾値比較が繰り返される（ステップＳ４０２〜Ｓ４０４）。
【００７８】
そして、雑音電力の測定回数が所定回数に到達すると（ステップＳ４０５Ｙｅｓ）、カウンタｍの値が所定値Ｍと比較される（ステップＳ４０６）。この比較の結果、カウンタｍの値が所定値Ｍ以上であれば（ステップＳ４０６Ｙｅｓ）、通信開始時と同様に雑音電力が所定の閾値未満である頻度が高いため、端末装置２００は基地局装置１００からＵバンドを用いて送信される信号を受信可能な状態であるといえる。このため、基地局装置１００は、引き続きＵバンドを用いた送信が可能であるため、端末装置２００は、状態情報を送信することなく処理が完了する。
【００７９】
一方、ステップＳ４０６の比較の結果、カウンタｍの値が所定値Ｍ未満であれば（ステップＳ４０６Ｎｏ）、カウンタｍの値に関する判定が所定回数繰り返されたか否かが判断される（ステップＳ４０７）。そして、まだ判定回数が所定回数に満たない場合には（ステップＳ４０７Ｎｏ）、再度カウンタｍが初期化され、雑音電力の測定及び判定が繰り返される（ステップＳ４０１〜Ｓ４０６）。また、判定回数が所定回数に到達している場合には（ステップＳ４０７Ｙｅｓ）、改めてパイロット信号を用いて最適な送信ビーム及び最適な受信ビームの決定が実行される（ステップＳ４０８）。すなわち、通信開始時とは異なり雑音電力が所定の閾値以上である頻度が高くなった場合には、端末装置２００における受信品質を良好にするビームが変化している可能性があるため、再度基地局装置１００の送信ビームと端末装置２００の受信ビームとが決定される。ビームの決定方法は、上述した通信開始時の決定方法と同様である。
【００８０】
最適な送信ビーム及び最適な受信ビームが改めて決定されると、新たに決定されたビームでのＵバンドの受信品質が所定の閾値以上であるか否かが判定される（ステップＳ４０９）。この判定の結果、受信品質が所定の閾値以上であれば（ステップＳ４０９Ｙｅｓ）、引き続き基地局装置１００によるＵバンドを用いた送信が可能であるため、端末装置２００は、状態情報を送信することなく処理が完了する。これに対して、受信品質が所定の閾値未満であれば（ステップＳ４０９Ｎｏ）、端末装置２００における受信品質が低下しており、基地局装置１００がＵバンドを用いた送信を実行しても正確な受信が困難になっていると考えられる。そこで、状態情報生成部２４８によって、端末装置２００によるＵバンドの受信準備が完了しておらず、基地局装置１００によるＵバンドを用いた送信が不可能であることを示す状態情報が生成され、Ｌバンド送信処理部２２２を経由して送信される（ステップＳ４１０）。これにより、基地局装置１００から端末装置２００へのＵバンドを用いた通信は停止される。
【００８１】
以上のように、本実施の形態によれば、端末装置は、Ｕバンドのパイロット信号を用いて端末装置の最適な受信ビームを決定し、最適な受信ビームを形成してから基地局装置に対してＵバンドの受信準備完了を示す状態情報を送信する。そして、基地局装置は、Ｕバンドの受信準備完了を示す状態情報を端末装置から受信した場合に、ＬＢＴ処理を実行してＵバンドを用いて端末装置へ信号を送信する。このため、基地局装置がＵバンドを用いて端末装置へ信号を送信する際には、この端末装置の受信ビームが基地局装置の方向を向いており、他の装置からの干渉の影響が低減される。すなわち、アンライセンスバンドにおける干渉を低減することができる。
【符号の説明】
【００８２】
１１０、２２０  プロセッサ
１１１、２２２  Ｌバンド送信処理部
１１２、２２１  Ｌバンド受信処理部
１２０、２３０  メモリ
１３０、２１０  無線通信部
１４１  パイロット信号生成部
１４２  符号化部
１４３  送信ビーム形成部
１４４  変調部
１４５  ＬＢＴ処理部
１４６  送信可否判定部
２４１  復調部
２４２  受信ビーム形成部
２４３  復号部
２４４  受信品質測定部
２４５  送信ビーム決定部
２４６  受信ビーム決定部
２４７  雑音判定部
２４８  状態情報生成部
【図１】
2019244316.tif 000003
【図２】
2019244316.tif 000004
【図３】
2019244316.tif 000005
【図４】
2019244316.tif 000006
【図５】
2019244316.tif 000007
【図６】
2019244316.tif 000008
【図７】
2019244316.tif 000009
【図８】
2019244316.tif 000010
【国際調査報告】
2019244316.tif 000011
2019244316.tif 000012
2019244316.tif 000013